【手続補正書】
【提出日】令和2年3月18日(2020.3.18)
【手続補正１】
【補正対象書類名】特許請求の範囲
【補正対象項目名】全文
【補正方法】変更
【補正の内容】
【特許請求の範囲】
【請求項１】
基地局のネットワークカバレージの外側にあるユーザ機器（ＵＥ）によるワイヤレス通信の方法であって、
前記基地局のネットワークカバレージ内にある１つまたは複数の近接ＵＥからそれぞれ１つまたは複数のデバイスツーデバイス（Ｄ２Ｄ）信号を受信することと、
前記１つまたは複数のＤ２Ｄ信号の１つまたは複数のデータ部を受信するために使用される１つまたは複数のリソース要素の信号強度に基づいて、前記１つまたは複数のＤ２Ｄ信号の信号強度を測定することと、
前記測定された１つまたは複数のＤ２Ｄ信号の前記信号強度に基づいて、中継ＵＥとして前記１つまたは複数の近接ＵＥのうちの１つを選択することと、
前記選択された中継ＵＥを介して前記基地局と通信するために、Ｄ２Ｄ通信を介して、前記選択された中継ＵＥと通信することと
を備える、方法。
【請求項２】
前記１つまたは複数のＤ２Ｄ信号の各々は、対応する近接ＵＥが、前記基地局と通信するために使用される中継器として利用可能であることを示す、
請求項１に記載の方法。
【請求項３】
前記１つまたは複数のＤ２Ｄ信号の各々は、対応するＤ２Ｄ発見信号中に含まれる、
請求項１に記載の方法。
【請求項４】
前記対応するＤ２Ｄ発見信号は、物理サイドリンク発見チャネル（ＰＳＤＣＨ）上で受信される、
請求項３に記載の方法。
【請求項５】
前記１つまたは複数のＤ２Ｄ信号の各々は、対応するＤ２Ｄ通信信号中に含まれる、
請求項１に記載の方法。
【請求項６】
前記１つまたは複数のデータ部分と１つまたは複数の基準信号部分とを含む前記１つまたは複数のトラフィック部分は、物理サイドリンク共有チャネル（ＰＳＳＣＨ）上で受信される、
請求項５に記載の方法。
【請求項７】
前記１つまたは複数のＤ２Ｄ信号の１つまたは複数の制御部分は、物理サイドリンク制御チャネル（ＰＳＣＣＨ）上で受信される、
請求項５に記載の方法。
【請求項８】
前記１つまたは複数のＤ２Ｄ信号の前記１つまたは複数のデータ部を受信するために使用される前記１つまたは複数のリソース要素の前記信号強度は、前記１つまたは複数のＤ２Ｄ信号の前記１つまたは複数のデータ部と、前記１つまたは複数のＤ２Ｄ信号の１つまたは複数の基準信号とを備えるトラフィック部分を受信するために使用される前記１つまたは複数のリソース要素の基準信号受信電力（ＲＳＲＰ）または基準信号受信品質（ＲＳＲＱ）のうちの少なくとも１つに基づく、
請求項１に記載の方法。
【請求項９】
ワイヤレス通信のための基地局のネットワークカバレージの外側にあるユーザ機器（ＵＥ）であって、
前記基地局のネットワークカバレージ内にある１つまたは複数の近接ＵＥからそれぞれ１つまたは複数のデバイスツーデバイス（Ｄ２Ｄ）信号を受信するための手段と、
前記１つまたは複数のＤ２Ｄ信号の１つまたは複数のデータ部を受信するために使用される１つまたは複数のリソース要素の信号強度に基づいて、前記１つまたは複数のＤ２Ｄ信号の信号強度を測定するための手段と、
前記１つまたは複数のＤ２Ｄ信号の前記信号強度の前記測定に基づいて、中継ＵＥとして前記１つまたは複数の近接ＵＥのうちの１つを選択するための手段と、
前記選択された中継ＵＥを介して基地局と通信するために、Ｄ２Ｄ通信を介して、前記選択された中継ＵＥと通信するための手段と
を備える、ＵＥ。
【請求項１０】
前記１つまたは複数のＤ２Ｄ信号の各々は、対応する近接ＵＥが、前記基地局と通信するために使用される中継器として利用可能であることを示す、
請求項９に記載のＵＥ。
【請求項１１】
前記１つまたは複数のＤ２Ｄ信号の各々は、対応するＤ２Ｄ発見信号中に含まれる、
請求項９に記載のＵＥ。
【請求項１２】
前記対応するＤ２Ｄ発見信号は、物理サイドリンク発見チャネル（ＰＳＤＣＨ）上で受信される、
請求項１１に記載のＵＥ。
【請求項１３】
前記１つまたは複数のＤ２Ｄ信号の各々は、対応するＤ２Ｄ通信信号中に含まれる、
請求項９に記載のＵＥ。
【請求項１４】
前記１つまたは複数のデータ部分と１つまたは複数の基準信号部分とを含む前記１つまたは複数のトラフィック部分は、物理サイドリンク共有チャネル（ＰＳＳＣＨ）上で受信される、
請求項１３に記載のＵＥ。
【請求項１５】
前記１つまたは複数のＤ２Ｄ信号の１つまたは複数の制御部分は、物理サイドリンク制御チャネル（ＰＳＣＣＨ）上で受信される、
請求項１３に記載のＵＥ。
【請求項１６】
前記１つまたは複数のＤ２Ｄ信号の前記１つまたは複数のデータ部を受信するために使用される前記１つまたは複数のリソース要素の前記信号強度は、前記１つまたは複数のＤ２Ｄ信号の前記１つまたは複数のデータ部と、前記１つまたは複数のＤ２Ｄ信号の１つまたは複数の基準信号とを備えるトラフィック部分を受信するために使用される前記１つまたは複数のリソース要素の基準信号受信電力（ＲＳＲＰ）または基準信号受信品質（ＲＳＲＱ）のうちの少なくとも１つに基づく、
請求項９に記載のＵＥ。
【請求項１７】
ワイヤレス通信のための基地局のネットワークカバレージの外側にあるユーザ機器（ＵＥ）であって、
メモリと、
前記メモリに結合された少なくとも１つのプロセッサと
を備え、前記少なくとも１つのプロセッサは、
前記基地局のネットワークカバレージ内にある１つまたは複数の近接ＵＥからそれぞれ１つまたは複数のデバイスツーデバイス（Ｄ２Ｄ）信号を受信することと、
前記１つまたは複数のＤ２Ｄ信号の１つまたは複数のデータ部を受信するために使用される１つまたは複数のリソース要素の信号強度に基づいて、前記１つまたは複数のＤ２Ｄ信号の信号強度を測定することと、
前記１つまたは複数のＤ２Ｄ信号の前記信号強度の前記測定に基づいて、中継ＵＥとして前記１つまたは複数の近接ＵＥのうちの１つを選択することと、
前記選択された中継ＵＥを介して基地局と通信するために、Ｄ２Ｄ通信を介して、前記選択された中継ＵＥと通信することと
を行うように構成される、ＵＥ。
【請求項１８】
前記１つまたは複数のＤ２Ｄ信号の各々は、対応する近接ＵＥが、前記基地局と通信するために使用されるリレーとして利用可能であることを示す、
請求項１７に記載のＵＥ。
【請求項１９】
前記１つまたは複数のＤ２Ｄ信号の各々は、対応するＤ２Ｄ発見信号中に含まれる、
請求項１７に記載のＵＥ。
【請求項２０】
前記対応するＤ２Ｄ発見信号は、物理サイドリンク発見チャネル（ＰＳＤＣＨ）上で受信される、
請求項１９に記載のＵＥ。
【請求項２１】
前記１つまたは複数のＤ２Ｄ信号の各々は、対応するＤ２Ｄ通信信号中に含まれる、
請求項１７に記載のＵＥ。
【請求項２２】
前記１つまたは複数のデータ部分と１つまたは複数の基準信号部分とを含む前記１つまたは複数のトラフィック部分は、物理サイドリンク共有チャネル（ＰＳＳＣＨ）上で受信される、
請求項２１に記載のＵＥ。
【請求項２３】
前記１つまたは複数のＤ２Ｄ信号の１つまたは複数の制御部分は、物理サイドリンク制御チャネル（ＰＳＣＣＨ）上で受信される、
請求項２１に記載のＵＥ。
【請求項２４】
前記１つまたは複数のＤ２Ｄ信号の前記１つまたは複数のデータ部を受信するために使用される前記１つまたは複数のリソース要素の前記信号強度は、前記１つまたは複数のＤ２Ｄ信号の前記１つまたは複数のデータ部と、前記１つまたは複数のＤ２Ｄ信号の１つまたは複数の基準信号とを備えるトラフィック部分を受信するために使用される前記１つまたは複数のリソース要素の基準信号受信電力（ＲＳＲＰ）または基準信号受信品質（ＲＳＲＱ）のうちの少なくとも１つに基づく、
請求項１７に記載のＵＥ。
【請求項２５】
ワイヤレス通信のためのコンピュータ実行可能コードを記憶する、基地局のネットワークカバレージの外側にあるユーザ機器（ＵＥ）の非一時的コンピュータ可読媒体であって、
前記基地局のネットワークカバレージ内にある１つまたは複数の近接ＵＥからそれぞれ１つまたは複数のデバイスツーデバイス（Ｄ２Ｄ）信号を受信することと、
前記１つまたは複数のＤ２Ｄ信号の１つまたは複数のデータ部を受信するために使用される１つまたは複数のリソース要素の信号強度に基づいて、前記１つまたは複数のＤ２Ｄ信号の信号強度を測定することと、
前記測定された１つまたは複数のＤ２Ｄ信号の前記信号強度に基づいて、中継ＵＥとして前記１つまたは複数の近接ＵＥのうちの１つを選択することと、
前記選択された中継ＵＥを介して前記基地局と通信するために、Ｄ２Ｄ通信を介して、前記選択された中継ＵＥと通信することと
を行うためのコードを備える、非一時的コンピュータ可読媒体。